(57)【特許請求の範囲】
【請求項１】
表表紙と、裏表紙と、前記表表紙と裏表紙との間に固定された複数のポケットシートとを備えたポケットファイルであって、
複数のポケットシートは、見開き用端縁が全て揃えられ、
前記表表紙及び／又は裏表紙は、検索用凹部を形成された見開き用端縁を備え、
前記検索用凹部の端縁と複数のポケットシートの見開き用端縁が揃えられた、ポケットファイル。
【請求項２】
表表紙及び／又は裏表紙は、検索用凹部を形成された領域の外に、ポケットシートの見開き用端縁より外側に向けて突き出た、ポケットシートに形成された見出しを覆うための突出部を形成された、請求項１に記載のポケットファイル。
【請求項３】
前記表表紙及び裏表紙は、背表紙との表連設部及び裏連設部の近傍において、上端から下端に亘って連続した表折り曲げ部及び裏折り曲げ部が形成され、表表紙における表折り曲げ部より背表紙に至る領域及び裏表紙における裏折り曲げ部より背表紙に至る領域と、背表紙とによって、把持部が形成された、請求項１又は請求項２に記載のポケットファイル。
【発明の詳細な説明】
【技術分野】
【０００１】
この発明は、ポケットファイルに関し、特にたとえば、背表紙の両側に表表紙と裏表紙が連設され、表表紙と裏表紙との間においてポケットが固着されたファイルに関する。
【背景技術】
【０００２】
従来、透明のフィルムでポケットを形成したポケットファイルがある。
【０００３】
【特許文献１】特許第３７４９８９６号公報
【発明の開示】
【発明が解決しようとする課題】
【０００４】
従来のポケットファイルは、ポケットの外側端縁が不揃いのために、書類等を収納したポケットを順に捲って検索することがしづらい。
【０００５】
それゆえに、この発明の主たる目的は、容易にポケットを捲って検索することができるポケットファイルを提供することである。
【課題を解決するための手段】
【０００６】
この発明に係るポケットファイルは、表表紙と、裏表紙と、前記表表紙と裏表紙との間に固定された複数のポケットシートとを備えたポケットファイルであって、複数のポケットシートは、見開き用端縁が全て揃えられ、前記表表紙及び／又は裏表紙は、検索用凹部を形成された見開き用端縁を備え、前記検索用凹部の端縁と複数のポケットシートの見開き用端縁が揃えられた、ポケットファイルである。
この発明の請求項２に係るポケットファイルは、表表紙及び／又は裏表紙は、検索用凹部を形成された領域の外に、ポケットシートの見開き用端縁より外側に向けて突き出た、ポケットシートに形成された見出しを覆うための突出部を形成された、請求項１に記載のポケットファイルである。
この発明の請求項３に係るポケットファイルは、前記表表紙及び裏表紙は、背表紙との表連設部及び裏連設部の近傍において、上端から下端に亘って連続した表折り曲げ部及び裏折り曲げ部が形成され、表表紙における表折り曲げ部より背表紙に至る領域及び裏表紙における裏折り曲げ部より背表紙に至る領域と、背表紙とによって、把持部が形成された、請求項１又は請求項２に記載のポケットファイルである。
【発明の効果】
【０００７】
この発明によれば、表表紙と、裏表紙と、前記表表紙と裏表紙との間に固定された複数のポケットシートとを備えたポケットファイルであって、複数のポケットシートは、見開き用端縁が全て揃えられ、前記表表紙及び／又は裏表紙は、検索用凹部を形成された見開き用端縁を備え、前記検索用凹部の端縁と複数のポケットシートの見開き用端縁が揃えられているので、容易にポケットを捲って検索することができるポケットファイルを得ることができる。
請求項２の発明によれば、表表紙及び／又は裏表紙は、検索用凹部を形成された領域の外に、ポケットシートの見開き用端縁より外側に向けて突き出た、ポケットシートに形成された見出しを覆うための突出部を形成されているので、検索を容易にするための見出しを保護することができ、その表面に検索のための項目を記入することができる。
請求項３の発明によれば、前記表表紙及び裏表紙は、背表紙との表連設部及び裏連設部の近傍において、上端から下端に亘って連続した表折り曲げ部及び裏折り曲げ部が形成され、表表紙における表折り曲げ部より背表紙に至る領域及び裏表紙における裏折り曲げ部より背表紙に至る領域と、背表紙とによって、把持部が形成されているので、人が手の平に背表紙を置き、把持部を手の指で把持して、ポケットシートを開くことができる。
【０００８】
この発明の上述の目的、その他の目的、特徴及び利点は、図面を参照して行う以下の発明を実施するための詳細な説明から一層明らかとなろう。
この明細書及び特許請求の範囲において、ファイルの表紙の高さ、表紙の幅及び背幅は、一般的に用いられている表現を用いているが、念のために、図４５において、表紙の高さをＨ、表紙の幅をＷ、背幅をＴとして示す。
【発明を実施するための最良の形態】
【０００９】
図１は、この発明の一実施の形態であるポケットファイルの斜視図解図であり、図２は、図１図示ポケットファイルの開いた状態における斜視図解図である。図３は、図１図示ポケットフィルの開いた状態における断面図解図であり、図４は、図１図示ポケットファイルの表紙及びポケットシートの斜視図解図である。
ファイル１０は、ポリプロピレン等の合成樹脂シートからなる表表紙１２と、裏表紙１４と、前記表表紙１２と裏表紙１４との間に連設された背表紙１６とを備えている。
前記表表紙１２と裏表紙１４との間に連設された背表紙１６の内面にポケットシート１８が固着されている。
【００１０】
表表紙１２及び裏表紙１４は、表表紙１２及び裏表紙１４の高さ方向において上端から下端に亘って連続する直線状の表連設部２０及び裏連設部２２を介して、ほぼ直角に交差するように、背表紙１６に連設されている。
【００１１】
前記ポケットシート１８は、背表紙１６に固着された部位から、表折り曲げ部２４及び裏折り曲げ部２６より上の部位の間において、柔軟に形成されている。
ポケットシート１８は、直線状の外側端縁４２と、直線状の底縁４４と、底縁４４とは反対側の上端縁に形成された開口縁４６とを備え、前記直線状の外側端縁４２とは反対側の内側端縁４８において、背表紙１６の内表面に熱溶着されている。
【００１２】
前記ポケットシート１８は、書類等の被綴じ物Ｓを収容するためのポケット部４０を備え、ポケット部４０の内部に、前記表折り曲げ部２４及び裏折り曲げ部２６より上の部位より、背表紙１６に固着された部位から離れる方向にのびる台紙４２を嵌挿されている。
【００１３】
表表紙１２及び裏表紙１４は、前記背表紙１６とは反対側の自由端縁、すなわち表表紙１２の左側端縁及び裏表紙１４の右側端縁に、高さ方向における中央において、検索用凹部３０が形成されている。
【００１４】
検索用凹部３０の外側端縁とポケットシート１８の外側端縁４２とは、揃えられている。したがって、表紙を閉じた状態で本ファイル１０を一方の手によって持った状態、特に把持部２８を把持した状態で、もう一方の手を検索用凹部３０に添え、表表紙１２又は裏表紙部１４とポケットシート１８とをぱらぱらめくることができる。
【００１５】
ファイル１０は、図４４において示すように、検索用凹部３０において、ポケットシート１８の最も外側の外側端縁４２に指を添えて、わずかに表表紙１２又は裏表紙１４を撓ませて、上の方にあるポケットシート１８から下の方にあるポケットシート１８に向けて順に巻いて上にあげることができる。
【００１６】
表表紙１２及び裏表紙１４は、検索用凹部３０を形成された領域の外に、ポケットシート１８の見開き用端縁、すなわち外側端縁４２より外側に向けて突き出て、ポケットシート１８に形成された見出しｉを覆うための突出部３８を、上下一対形成されている。
【００１７】
前記実施の形態において、図５ないし図９に示すように、表表紙１２及び裏表紙１４は、背表紙１６との表連設部２０及び裏連設部２２の近傍において、上端から下端に亘って連続した表折り曲げ部２４及び裏折り曲げ部２６が形成され、表表紙１２における表折り曲げ部２４より背表紙に至る領域及び裏表紙１４における裏折り曲げ部２６より背表紙に至る領域と、背表紙１６とによって、把持部２８が形成されてもよい。
そして、表表紙１２及び裏表紙１４は、表連設部２０及び裏連設部２２の近傍において、高さ方向においてその上端から下端に亘って、表連設部２０及び裏連設部２２に平行に表折り曲げ部２４及び裏折り曲げ部２６とが形成されている。
表折り曲げ部２４及び裏折り曲げ部２６は、表紙の幅方向における幅すなわち背表紙１６の内側面との間の長さは同一に形成されている（図９図示）。
前記台紙Ｍは、前記表折り曲げ部２４及び裏折り曲げ部２６の近傍には存在しないように設けられている。
【００１８】
前記把持部２８は、人が手の平に背表紙１６を置き手の指で把持して、ポケットシート１８を開くことができるように、角張った構成を備えている。
【００１９】
図９は、この発明の一実施の形態であるポケットファイルの斜視図解図であり、図１０は、図９図示ポケットファイルの開いた状態における斜視図解図である。図１１は、図９図示ポケットフィルの断面図解図であり、（Ａ）は、横断面図解図であり、（Ｂ）は、縦断面図解図であり、図１２は、図９図示ポケットファイルの表紙の斜視図解図である。
ファイル１１０は、ポリプロピレン等の合成樹脂シートからなる表表紙１１２と、裏表紙１１４と、前記表表紙１１２と裏表紙１１４との間に連設された背表紙１１６とを備えている。
【００２０】
表表紙１１２及び裏表紙１１４は、表表紙１１２及び裏表紙１１４の高さ方向において上端から下端に亘って連続する直線状の表連設部１２０及び裏連設部１２２を介して、ほぼ直角に交差するように、背表紙１１６に連設されている。
そして、表表紙１１２及び裏表紙１１４は、表連設部１２０及び裏連設部１２２の近傍において、高さ方向においてその上端から下端に亘って、表連設部１２０及び裏連設部１２２に平行に、表折り曲げ部１２４及び裏折り曲げ部１２６が形成されている。
表折り曲げ部１２４及び裏折り曲げ部１２６は、表表紙１１２及び裏表紙１１４の幅方向における幅すなわち背表紙１１６の内側面との間の長さは同一に形成されている（図８図示）。
【００２１】
表表紙１１２及び裏表紙１１４は、表連設部１２０及び裏連設部１２２の近傍において、上端から下端に亘って連続した表折り曲げ部１２４及び裏折り曲げ部１２６が形成され、表表紙１１２における表折り曲げ部１２４より背表紙１１６に至る領域及び裏表紙１１４における裏折り曲げ部１２６より背表紙１１６に至る領域と、背表紙１１６とによって、把持部１２８が形成される。
【００２２】
表表紙１１２と裏表紙１１４との間であって背表紙１１６の内側に、ポケットシート１８を固着するポケットシート取り付け材１５０が固着されている。
ポケットシート取り付け材１５０は、前記表連設部１２０と表折り曲げ部１２４との間において及び裏連設部１２２と裏折り曲げ部１２６との間において、背表紙１１６から立設して、表表紙１１２と裏表紙１１４の内側面に固定されている。
ポケットシート取り付け材１５０は、背表紙１１６と同一素材からなる平面略長方形の角筒状体であり、背表紙１１６に対向する面とは反対側にポケットシート１１８が固着され、前記ポケットシート１１８が固着された面とは反対側の面を背表紙１１６の内側面に対向するように固着される。
【００２３】
ポケットシート取り付け材１５０は、ポケットシート１１８を連結するために、平面状部分の両端に断面略コ字型又は略Ｕ字状の立ち上がり部分が連設された、断面長方形のチューブ状の柔軟で弾力性を有するポロプロピレン等の熱可塑性樹脂シートを、表紙の表表紙１１２と裏表紙１１４との間において架け渡されるように構成され、ポケットシート１１８を接着される断面略コ字型又は略Ｕ字状の立ち上がり部を形成したポケットシート接着部１５２と、背表紙１１６に接着される連結部１５４とを備えている。
ポケットシート取り付け材１５０は、表紙の高さ方向（Ｘ1方向）の長さが、背表紙１１６の高さ方向（Ｘ1方向）の長さよりはわずかに短く且つポケットシート１１８の高さ方向（Ｘ2方向）の長さ（長辺の長さ）よりわずかに長い長さを備えている（図１１（Ｂ）参照）。
【００２４】
なお、ポケットシート取り付け材１５０の連結部１５４は、表連設部１２０及び裏連設部１２４との間に架け渡された、平面状のシートで形成されている。
そして、ポケットシート取り付け材１５０は、表紙を開いたときに、ポケットシート１１８が接着される面の中央の頂部１５６が表紙の背表紙１１６より離れて中央が高く、表連設部１２０及び裏連設部１２４に至るに従って低くなるゆるやかな斜面を形成するための保型性を有するように構成されている。
ポケットシート取り付け材１５０のポケットシート取り付け部１５２は、ポケットシート１１８を開いたとき、開いたポケットシート１１８が接着された領域において撓み、開いたポケットシート１１８と隣接するポケットシート１１８との間が広がるように構成されている。
【００２５】
ポケットシート１１８は、直線状の外側端縁１４２と、直線状の底縁１４４と、底縁１４４とは反対側の上端縁に形成された開口縁１４６とを備え、ポケット部１４０を形成する。
ポケットシート１１８は、背表紙１１６に対向する面とは反対側のポケットシート取り付け部１５２に、ポケットシート１１８の前記直線状の外側端縁１４２とは反対側の内側端縁１４８において背表紙１１６の内側面に亘り固着される。
【００２６】
前記ポケットシート１１８は、背表紙１１６に固着された部位から、表折り曲げ部１２４及び裏折り曲げ部１２６より上の部位の間において、柔軟に形成されている。
【００２７】
前記ポケットシート１１８は、書類等の被綴じ物Ｓを収容するためのポケット部１３０を備え、ポケット部１３０の内部に、前記表折り曲げ部1２４及び裏折り曲げ部１２６より上の部位より、背表紙１１６に固着された部位から離れる方向にのびる台紙Ｍを嵌挿されている。
前記台紙Ｍは、前記表折り曲げ部１２４及び裏折り曲げ部１２６の近傍には存在しないように設けられている。
【００２８】
前記把持部１２８は、人が手の平に背表紙１６を置き手の指で把持して、ポケットシート１８を開くことができるように、角張った構成を備えている。
【００２９】
表表紙１１２及び裏表紙１１４は、前記背表紙１１６とは反対側の自由端縁１４２、すなわち表表紙１１２の左側端縁及び裏表紙１１４の右側端縁に、高さ方向における中央において、検索用凹部１３０が形成されている。
検索用凹部１３０の外側端縁とポケットシート１１８の外側端縁１４２とは、揃えられている。したがって、表紙を閉じた状態で本ファイル１１０を一方の手によって持った状態、特に把持部１２８を把持した状態で、もう一方の手を検索用凹部１３０に添え、表表紙１１２又は裏表紙部１１４とポケットシート１８とをぱらぱらめくることができる。
【００３０】
ファイル１１０は、検索用凹部１３０において、ポケットシート１１８の最も外側の外側端縁１４２に指を添えて、わずかに表表紙１１２又は裏表紙１１４を撓ませて、上の方にあるポケットシート１１８から下の方にあるポケットシート１１８に向けて順に巻いて上にあげることができる。
【００３１】
表表紙１１２及び裏表紙１１４は、検索用凹部３０を形成された領域の外に、ポケットシートの見開き用端縁、すなわち外側端縁１４２より外側に向けて突き出て、ポケットシート１１８に形成された見出しｉを覆うための突出部１３８を、上下一対形成されている。
【００３２】
なお、表表紙１１２、裏表紙１１４及び背表紙１１６を構成する表紙材１１０は、前記ポリプロピレン等の板状の合成樹脂のほか、板状の紙や板紙の表面を紙や布で包み（くるみ）貼りしてなる包み（くるみ）貼りシート状物をもって形成してもよい。
【００３３】
そして、表表紙１１２、裏表紙１１４及び背表紙１１６は、表連設部１２０及び裏連設部１２２を介して一体的に形成され、一枚のシート状表紙材１１０に筋入れすることにより、表連設部１２０及び裏連設部１２２と表折り曲げ部１２４及び裏折り曲げ部１２６とを形成し、表紙を構成してもよい。
表連設部１２０及び裏連設部１２２は、外側（表側）から内側（裏側）に向けて膨らむ断面Ｕ字状の筋によって形成され、また、表折り曲げ部１２４及び裏折り曲げ部１２６は、内側（裏側）から外側（表側）に向けて膨らむ断面Ｕ字状の筋によって形成してもよい。
【００３４】
次に、本発明にかかる図５図示ファイル１０の製法について、図１３ないし図１７に基づいて説明する。
まず、原反（板紙）を準備し、それにトムソン加工を施して、表紙となる表紙材８０を抜き、表表紙１２と裏表紙１４と背表紙１６とをあわせた大きさの表紙材８０を形成する（表紙材成形ステップ）。
【００３５】
次に、この表紙材８０における、後に背表紙１６となる背表紙エリア８６の表面に背見出し紙Ｚを接着剤で貼着する（背見出し紙貼着ステップ）。
【００３６】
たとえば、図１３に示すように、表紙材８０として熱可塑性樹脂のシート材を用いた場合は、表連設部２０及び裏連設部２２と表折り曲げ部２４及び裏折り曲げ部２６を形成するために、互いに平行な断面略Ｖ字状のＶ字溝２０Ａ、Ｖ字溝２２Ａ、Ｖ字溝２４Ａ、Ｖ字溝２６ＡをＶ字状ヒーター（図示せず）でヒートプレス成形し、表紙材１０を折り曲げ可能に成形する（Ｖ字溝成形ステップ）。
そして、前記Ｖ字溝２０Ａ、Ｖ字溝２２Ａ、Ｖ字溝２４Ａ、Ｖ字溝２６Ａの溝壁を加熱して、表連設部２０及び裏連設部２２に対応する前記Ｖ字溝２０Ａ、Ｖ字溝２２Ａ、Ｖ字溝２４Ａ、Ｖ字溝２６Ａを折り曲げて、溶融した溝壁どおしを接し合わせ固化することにより、表連設部２０及び裏連設部２２を成形する（連設部形成ステップ）。
而して、表表紙１２と裏表紙１４と、前記表表紙１２と裏表紙１４との間に背表紙１６を備え、Ｖ字溝２４Ａからなる表折り曲げ部２４とＶ字溝２６からなる裏折り曲げ部２６とを有し、把持部２８を備えた表紙が形成される。
【００３７】
次に、複数のポケットシート１８を多数枚重合し、その重なった内側端縁４８の端面を、背表紙１６の内面にホットメルト接着剤（図示せず）で固着する。またホットメルト接着剤に代えて超音波ホーンにより溶着してもよい。
【００３８】
次に、本発明にかかる図９図示ファイル１１０の製法について、図１８ないし図２２に基づいて説明する。
最初に、表紙材１８０にポケットシート取り付け材１５０を接着する方法について説明する。
まず、ポケットシート取り付け材１５０に用いるための、いわゆる断面長方形チューブ状のポリプロピレン等の熱可塑性合成樹脂シートからなるポケットシート取り付け素材１５０Ａを準備する（図１８(Ａ)参照）。
ポケットシート取り付け素材１５０Ａは、表紙の背表紙１１６の高さ方向の長さ（Ｘ１）よりはわずかに短く且つポケットシート１１８の高さ方向の長さ（Ｘ２）よりわずかに長い長さを備え、ポケットシート１１８と背表紙１１６とが不要な部分で溶着しないように構成されている。
そして、連結部１５４に相当する部位の下面、すなわち表紙の背表紙１１６の内側に接着される面に、その長さ方向に連続して細長い断面半円形状の凸条１５８が突設されている。
凸条１５８は、後に説明するポケットシート取り付け素材１５０Ａを表紙の背表紙１１６の内面に、超音波ホーン１２００等によりポケットシート取り付け素材１５０Ａの外表面及び表紙の背表紙１１６の内表面を溶着させて接着するとき、凸条１５８を溶融させて、表紙の背表紙１１６の内面に強固に接着させるために形成されている。
【００３９】
ポケットシート取り付け素材１５０Ａの連結部１５４の表面（凸条１５８が形成された面）を、表紙の背表紙１１６の内表面に接し合わせ（図１８(Ｂ)参照）、ポケットシート取り付け素材１５０Ａの外表面、すなわちポケットシート取り付け素材１５０Ａが接し合わされた面とは反対側の面より、例えば、超音波ホーン１２００により表紙の背表紙１１６の内表面とポケットシート取り付け素材１５０Ａの連結部１５４の表面及び凸条１５８とが接し合わされた溶着領域に、溶着加工を施し、表紙の背表紙１１６の内表面溶着領域とポケットシート取り付け素材１５０Ａの連結部１５４の外表面及び凸条１５８の接着領域とを溶融させて接着する（図１８(Ｃ)参照）。
このときに、ポケットシート取り付け素材１５０Ａの中空部内に挿入されて、ポケットシート取り付け素材１５０Ａの一定の形状を保持し、熱が伝わらないようにするための金属製保型板１１００を用いられる。
【００４０】
引き続き、前記製本装置１０００を使用してファイルを製本する方法について、主として図１９ないし図２１に基づいて説明する。
まず、ポケットシート１１８を多数枚重合し、その重なり端面を直立保持体１００８及び直立保持体１０１２でクランプし、また、表紙用保持機構１００４により、表紙の背表紙１１６の内面を下側にした状態で、表紙を保持し、表紙用保持機構１００４を下降させてポケットシート１１８の内側端縁１４８の端面とポケットシート取り付け材１５０のポケットシート取り付け部１５２の内面とを対向させるとともに、その間に発熱体１００６を介在させることができる寸法まで接近させる。
そして、ポケットシート取り付け素材１５０Ａの中空部内に金属製保型板１１００を挿入して、一定の形状を保持するようにして、発熱体１００６をポケットシート取り付け素材１５０Ａの連結部１５４とポケットシート１１８との間に介在させ、ポケットシート取り付け素材１５０Ａの連結部１５４及び凸条１５８とポケットシート１１８の重ね合せ端面とを同時に溶融させる。
【００４１】
ポケットシート取り付け素材１５０Ａを構成するポリプロピレンは、０．３〜０．４ｍｍ厚さにしてその溶融温度が１３０〜１４０℃と設定してあるため、その溶融温度に対応して、１７０〜１８０℃前後の発熱体１００６を使用して４〜５秒前後の時間で溶融させるように構成している。
そして、その後、発熱体１００６を引き抜き、ポケットシート取り付け素材１５０Ａをポケットシート１１８に接着させて両者を連結し、表紙とポケットシート取り付け材１５０とポケットシート１１８とを連結して、図２２に示すようなファイルを完成させる。
【００４２】
また、ポケットシート取り付け材２５０は、前記実施の形態に限らず、たとえば図２３に示すような形状でもよい。
この図２３図示ポケットシート取り付け材２５０は、表表紙２１２側及び裏表紙２１４側が同一の幅を有して表紙の高さ方向において上側から下側に亘って形成された断面Ｕ字状の筋によって、平面略長方形のポケットシート取り付け部２５２の左右端縁において背表紙２１６側に折り曲げられて形成された長方形状凸部２５４Ａ及び長方形状凸部２５４Ｂを有し、ポケットシート取り付け部２５２の左右端に一対の長方形状凸部２５４Ａ及び長方形状凸部２５４Ｂが突設された全体として断面コ字型に形成されている。
そして、ポケットシート取り付け材２５０は、表表紙側長方形状凸部２５４Ａの直線状自由端と裏表紙側長方形状凸部２５４Ｂの直線状自由端において、背表紙２１６の内側面に固着されている。
【００４３】
ポケットシート取り付け材２５０のポケットシート取り付け部２５２の幅は、表表紙２１２と裏表紙２１４の間隔とほぼ同一の幅を有し、長方形状凸部２５４Ａ及び長方形状凸部２５４Ｂの高さは、表連設部２２０と表折り曲げ部２２４との間及び裏連設部２２２と裏折り曲げ部２２６との間、すなわち表紙の幅方向における長さと同等又はそれよりも低い。
一定の間隔が、ポケットシート取り付け材２５０のポケットシート取り付け部２５２の上面と表折り曲げ部２２４及び裏折り曲げ部２２６との間に空くように構成してもよい。
【００４４】
表表紙２１２及び裏表紙２１４は、背表紙２１６との表連設部２２０及び裏連設部２２２の近傍において、上端から下端に亘って連続した表折り曲げ部２２４及び裏折り曲げ部２２６が形成され、表表紙２１２における表折り曲げ部２２４より背表紙２１６に至る領域及び裏表紙２１４における裏折り曲げ部２２６より背表紙２１６に至る領域と、背表紙２１６とによって、把持部２２８が形成される。
【００４５】
ポケットシート１１８は、直線状の外側端縁１４２と、直線状の底縁１４４と、底縁１４４とは反対側の上端縁に形成された開口縁１４６とを備え、ポケット部１４０を形成する。
ポケットシート１１８は、背表紙２１６に対向する面とは反対側のポケットシート取り付け部２５２に、ポケットシート１１８の前記直線状の外側端縁１４２とは反対側の内側端縁１４８において背表紙２１６の内側面に亘り固着される。
【００４６】
また、ポケットシート取り付け材３５０は、前記実施の形態に限らず、たとえば図２４に示すような形状でもよい。
この図２４図示ポケットシート取り付け材３５０は、表表紙３１２側及び裏表紙３１４側が同一の幅を有して表紙の高さ方向において上側から下側に亘って形成された断面Ｕ字状の筋によって、平面略長方形のポケットシート取り付け部３５２の左右端縁において背表紙３１６とは反対側に折り曲げられて形成された長方形状凸部３５４Ａ及び長方形状凸部３５４Ｂを有し、ポケットシート取り付け部３５２の左右端に一対の長方形状凸部３５４Ａ及び長方形状凸部３５４Ｂが突設された全体として断面コ字型に形成されている。
そして、ポケットシート取り付け材３５０は、表表紙側長方形状凸部３５４Ａの外側面が表表紙３１２の表連設部３２０と表折り曲げ部３２４との間の内側面とに固着され、且つ裏表紙側長方形状凸部３５４Ｂの外側面が背表紙３１４の表折り曲げ部３２４と裏折り曲げ部３２６との間の内側面と固着されている。
ポケットシート取り付け材３５０のポケットシート取り付け部３５２の幅は、表表紙３１２と裏表紙３１４の間隔とほぼ同一の幅を有し、長方形状凸部３５４Ａ及び長方形状凸部３５４Ｂの高さは、表連設部３２０と表折り曲げ部３２４との間及び裏連設部３２２と裏折り曲げ部３２６との間、すなわち表紙の幅方向における長さよりも低い。
この実施の形態においては、一定の間隔が、ポケットシート取り付け材３５０のポケットシート取り付け部３５２の上面と表折り曲げ部３２４及び裏折り曲げ部３２６との間に空くように構成されている。
【００４７】
表表紙３１２及び裏表紙３１４は、背表紙３１６との表連設部３２０及び裏連設部３２２の近傍において、上端から下端に亘って連続した表折り曲げ部３２４及び裏折り曲げ部３２６が形成され、表表紙３１２における表折り曲げ部３２４より背表紙３１６に至る領域及び裏表紙３１４における裏折り曲げ部３２６より背表紙に至る領域と、背表紙３１６とによって、把持部３２８が形成される。
【００４８】
ポケットシート１１８は、直線状の外側端縁１４２と、直線状の底縁１４４と、底縁１４４とは反対側の上端縁に形成された開口縁１４６とを備え、ポケット部１４０を形成する。
ポケットシート１１８は、背表紙３１６に対向する面とは反対側のポケットシート取り付け部３５２に、ポケットシート１１８の前記直線状の外側端縁１４２とは反対側の内側端縁１４８において背表紙３１６の内側面に亘り固着される。
【００４９】
前記実施の形態の形態においては、把持部３２８を形成したが、表折り曲げ部３２４及び表折り曲げ部３２６を形成せず、把持部３２８を形成しなくてもよい。
【００５０】
この図２５図示ポケットシート取り付け材４５０は、表表紙４１２側及び裏表紙４１４側が同一の幅を有して表紙の高さ方向において上側から下側に亘って形成された断面Ｕ字状の筋によって、平面略長方形のポケットシート取り付け部４５２の左右端縁において背表紙４１６側に折り曲げられて形成された長方形状凸部４５４Ａ及び長方形状凸部４５４Ｂを有し、ポケットシート取り付け部４５２の左右端に一対の長方形状凸部４５４Ａ及び長方形状凸部４５４Ｂが突設された全体として断面ロ字型に形成されている。
そして、ポケットシート取り付け材４５０は、表表紙側断面Ｌ字形状凸部４５４Ａの外側面が表表紙４１２の表連設部４２０と表折り曲げ部４２４との間の内側面及び背表紙４１６の内側と固着され、且つ、裏表紙側断面Ｌ字形状凸部４５４Ｂの外側面が裏表紙４１４の表折り曲げ部４２４と裏折り曲げ部４２６との間の内側面及び背表紙４１６の内側面に固着されている。
ポケットシート取り付け材４５０のポケットシート取り付け部４５２の幅は、表表紙４１２と裏表紙４１４の間隔とほぼ同一の幅を有し、長方形状凸部４５４Ａ及び長方形状凸部４５４Ｂの高さは、表連設部４２０と表折り曲げ部４２４との間及び裏連設部４２２と裏折り曲げ部４２６との間、すなわち表紙の幅方向における長さよりも低い。
この実施の形態においては、一定の間隔が、ポケットシート取り付け材４５０のポケットシート取り付け部４５２の上面と表折り曲げ部４２４及び裏折り曲げ部４２６との間に空くように構成されている。
【００５１】
表表紙４１２及び裏表紙４１４は、背表紙４１６との表連設部４２０及び裏連設部４２２の近傍において、上端から下端に亘って連続した表折り曲げ部４２４及び裏折り曲げ部４２６が形成され、表表紙４１２における表折り曲げ部４２４より背表紙４１６に至る領域及び裏表紙４１４における裏折り曲げ部４２６より背表紙４１６に至る領域と、背表紙４１６とによって、把持部４２８が形成される。
【００５２】
ポケットシート１１８は、直線状の外側端縁１４２と、直線状の底縁１４４と、底縁１４４とは反対側の上端縁に形成された開口縁１４６とを備え、ポケット部１４０を形成する。
ポケットシート４１８は、背表紙４１６に対向する面とは反対側のポケットシート取り付け部４５２に、ポケットシート１１８の前記直線状の外側端縁１４２とは反対側の内側端縁１４８において背表紙４１６の内側面に亘り固着される。
【００５３】
前記実施の形態の形態においては、把持部４２８を形成したが、表折り曲げ部４２４及び表折り曲げ部４２６を形成せず、把持部４２８を形成しなくてもよい。
【００５４】
次に、別の表紙を用いたファイルの製法について、主として図２６及び図２７に基づいて説明する。
まず、準備した表紙材８０の表側（外側）に、後に表連設部２０及び裏連設部２２となる部位に、プレス金型またはロール金型によって筋入れ加工を施す。すなわち、表紙材８０の幅方向に（表紙の高さ方向における上端側から下端側に亘って）連続して、断面Ｕ字状筋を形成して、表連設部２０及び裏連設部２２を成形する（連設部成形ステップ）。
【００５５】
表紙材８０としては、たとえば熱で湾曲しにくいボール紙などのようなシート材からなる芯材と、前記芯材の表面の全面に亘って粘着され且つ裏面側に向けて折り曲げられ粘着されたシート、たとえばポリプロピレン製シートなどのような合成樹脂製シートからなる表面材とを備える、いわゆる包み貼り表紙であってもよい。
【００５６】
次に、表紙材８０を反転して表側（外側）を下にし表紙材８０の裏側（内側）を上にして、プレス金型またはロール金型により筋入れ加工を施す。すなわち、表紙材１１０の幅方向に（表紙の高さ方向における上端側から下端側に亘って）連続して、断面Ｕ字状筋を形成して、表折り曲げ部２４及び裏折り曲げ部２６を成形する（折り曲げ部成形ステップ）。
【００５７】
そして、表連設部２０及び裏連設部２２の間において表紙材８０の背表紙１６の内面全体に亘って、図２３に示すように溶融したホットメルト接着剤９０を一定幅の帯状に塗布する。
この実施の形態においては、ホットメルト接着剤９０は、ポケットシート１８と背表紙１６の内側面とを固着する領域に亘ってホットメルト接着剤９０が行き渡るように、適宜な幅及び厚さで塗布される。
なお、ホットメルト接着剤９０としては、帯状の固形のシート体のものを用いてもよい。
【００５８】
次に、横断面コ字型のポケットシート取り付け材２５０を固着する方法について、主として図２８及び２９に基づいて説明する。
【００５９】
まず、図２８に示すように、ポケットシート取り付け材２５０を作成するための平板状ポケットシート取り付け素材２５０Ａを準備し、ポケットシート取り付け部２５２の左右両端に長方形状凸部２２８を形成するためにポケットシート取り付け素材２５０Ａを区画して折り曲げるための筋入れ加工を施して、ポケットシート取り付け素材２５０Ａの表紙の高さ方向の上端から下端に亘って連続して、直線状に屈曲部２５０Ａ１を形成する。（筋入れ穿設ステップ）。
【００６０】
次に、ポケットシート取り付け素材２５０Ａの長方形状凸部２５４Ａ及び長方形状凸部２５４Ｂ及び屈曲部２５０Ａ1においてポケットシート２１８を取り付ける面とは反対側（裏側）に向けてほぼ直角に折り曲げて、表表紙側凸部２５４Ａと裏表紙側凸部２５４Ｂとが平行となるまで屈曲させる（長方形状凸部成形ステップ）。
【００６１】
次に、図２９において示すように、横断面略コ字型に成形されたポケットシート取り付け材２５０を表紙材２１０の背表紙２１６の内表面に載置する。
事前に、ホットメルト接着剤９０が表連設部２２０及び裏連設部２２２近傍に塗布されているので、その上にポケットシート取り付け材２５０の長方形状凸部２５４Ａ及び長方形状凸部２５４Ｂを載置する。
その後は、図２５において示すように、たとえば背表紙２１６の外側（表側）の部位に下方から板状ヒーターＨを押し当て、且つ、背表紙２１６から直角に折り曲げられて上方に伸びた表表紙２１２と裏表紙２１４の外側（表側）の部位に左右方向から板状ヒーターＨでプレスしながらホットメルト接着剤９０を加熱溶触させる（プレス加熱ステップ）。
【００６２】
ホットメルト接着剤９０によりポケットシート取り付け材２５０の表表紙側凸部２５４Ａ及び裏表紙側２５４Ｂの自由端たる直線状端縁部位が背表紙２１６の内側（裏側）に接着されたときに、左右方向から押し当てた板状ヒーターＨを取り去るとともに下方から背表紙２１６の外側（表側）に押し当てた板状ヒーターＨを取り去り冷却する（接着剤冷却ステップ）。
このようにして、ポケットシート取り付け材２５０が背表紙２１６に固着された表紙が完成する。
【００６３】
この発明は、前記実施の形態に限らずこの発明の思想に基づき種々変更することが可能である。
【００６４】
前記実施の形態においては、ポケットシート取り付け材２５０は、断面略コ字状であったが、図３０に示すように平板状のポケットシート取り付け材５５０であってもよい。
背表紙５１６と対向する面に、凸部５５４が突設されてもよい。
例えば、ポケットシート取り付け材５５０は、図３１ないし３４において示すように、凸部５５４の頂部を背表紙５１６の内側面に接するようにして、表表紙５１２と裏表紙５１４の間であって背表紙５１６にほぼ平行に対向するようにして、表表紙５１２の表連設部５２０と表折り曲げ部５２４との間の内側面と、裏表紙５１４の裏連設部５２２と裏折り曲げ部５２６との間の内側面に固着してもよい。
【００６５】
表表紙５１２及び裏表紙５１４は、背表紙５１６との表連設部５２０及び裏連設部５２２の近傍において、上端から下端に亘って連続した表折り曲げ部５２４及び裏折り曲げ部５２６が形成され、表表紙５１２における表折り曲げ部５２４より背表紙５１６に至る領域及び裏表紙５１４における裏折り曲げ部５２６より背表紙５１６に至る領域と、背表紙５１６とによって、把持部５２８が形成される。
【００６６】
ポケットシート５１８は、直線状の外側端縁５４２と、直線状の底縁５４４と、底縁５４４とは反対側の上端縁に形成された開口縁５４６とを備え、ポケット部５４０を形成している。
ポケットシート５１８は、背表紙５１６に対向する面とは反対側のポケットシート取り付け部５５２に、ポケットシート５１８の前記直線状の外側端縁５４２とは反対側の内側端縁５４８において背表紙５１６の内側面に亘り固着される。
【００６７】
前記実施の形態においては、検索用凹部３０は、平面視倒コ字状に形成されているが、これに限定されるものではない。例えば、次のように変形してもよい。
図３５に示すファイルの表表紙６１２及び裏表紙６１４は、表表紙６１２及び裏表紙６１４の高さ方向において中間部から、段差状に検索用凹部６３０が形成され、検索用凹部    ６３０は、平面視略倒Ｌ字状に形成されている。前記検索用凹部６３０の端縁とポケットシート６１８の見開き開端縁、すなわち外側端縁６４２が揃えられている。
【００６８】
表表紙６１２及び裏表紙６１４は、背表紙６１６との表連設部６２０及び裏連設部６２２の近傍において、上端から下端に亘って連続した表折り曲げ部６２４及び裏折り曲げ部５２６が形成され、表表紙６１２における表折り曲げ部６２４より背表紙６１６に至る領域及び裏表紙６１４における裏折り曲げ部６２６より背表紙６１６に至る領域と、背表紙５１６とによって、把持部６２８が形成される。
【００６９】
ポケットシート６１８は、直線状の外側端縁６４２と、直線状の底縁６４４と、底縁６４４とは反対側の上端縁に形成された開口縁６４６とを備え、ポケット部６４０を形成している。
ポケットシート６１８は、背表紙６１６に対向する面とは反対側のポケットシート取り付け部６５２に、ポケットシート６１８の前記直線状の外側端縁６４２とは、反対側の内側端縁６４８において背表紙６１６の内側面に亘り固着される。
表表紙６１２及び裏表紙６１４は、検索用凹部６３０を形成された領域の外に、ポケットシート６１８の見開き用端縁、すなわち外側端縁６４２より外側に向けて突き出て、ポケットシート６１８に形成された見出しｉを覆うための突出部６３８を、上部に形成されている。
【００７０】
前記実施の形態の形態においては、把持部６２８を形成したが、図３６において示すように、表折り曲げ部６２４及び表折り曲げ部６２６を形成せず、把持部６２８を形成しなくてもよい。
【００７１】
図３７に示すファイルの表表紙７１２及び裏表紙７１４は、高さ方向において中央に、円弧状の検索用凹部７３０が形成されている。前記検索用凹部７３０の端縁とポケットシート７１８の見開き開端縁、すなわち外側端縁７４２が揃えられている。
【００７２】
表表紙７１２及び裏表紙７１４は、背表紙７１６との表連設部７２０及び裏連設部７２２の近傍において、上端から下端に亘って連続した表折り曲げ部７２４及び裏折り曲げ部７２６が形成され、表表紙７１２における表折り曲げ部７２４より背表紙７１６に至る領域及び裏表紙７１４における裏折り曲げ部７２６より背表紙７１６に至る領域と、背表紙７１６とによって、把持部７２８が形成される。
【００７３】
ポケットシート７１８は、直線状の外側端縁７４２と、直線状の底縁７４４と、底縁７４４とは反対側の上端縁に形成された開口縁７４６とを備え、ポケット部７４０を形成している。
ポケットシート７１８は、背表紙７１６に対向する面とは反対側のポケットシート取り付け部７５２に、ポケットシート７１８の前記直線状の外側端縁７４２とは、反対側の内側端縁７４８において背表紙７１６の内側面に亘り固着される。
表表紙７１２及び裏表紙７１４は、検索用凹部７３０を形成された領域の外に、ポケットシート７１８の見開き用端縁、すなわち外側端縁７４２より外側に向けて突き出て、ポケットシート７１８に形成された見出しｉを覆うための突出部７３８を、上下一対形成されている。
【００７４】
前記実施の形態の形態においては、把持部７２８を形成したが、図３８において示すように、表折り曲げ部７２４及び表折り曲げ部７２６を形成せず、把持部７２８を形成しなくてもよい。
【００７５】
ポケットシート１８は、表表紙側ポケットシート１８と裏表紙側ポケットシート１８とを分離されるのではなく、図３９ないし図４２において示すように、一体化されたポケットシート材８１８Ａをもって、形成してもよい。
ポケットシート８１８を背表紙８１６に固着する構造としては、複数のポケットシート材８１８Ａの中央において高さ方向に一直線状に形成されたポケットシート材８１８Ａを、背表紙８１６の内面の中央に溶着し、該溶着部８１８Ａ1を境にして、表表紙側の第１ポケットシート８１８ａと裏表紙側の第２ポケットシート８１８ｂとを形成し、該溶着部８１８Ａ1において二つ折りにして、一群のポケットシート８１８を構成してもよい。
【００７６】
表表紙８１２及び裏表紙８１４は、背表紙８１６との表連設部８２０及び裏連設部８２２の近傍において、上端から下端に亘って連続した表折り曲げ部８２４及び裏折り曲げ部８２６が形成され、表表紙８１２における表折り曲げ部８２４より背表紙８１６に至る領域及び裏表紙８１４における裏折り曲げ部８２６より背表紙８１６に至る領域と、背表紙８１６とによって、把持部８２８が形成される。
【００７７】
ポケットシート８１８は、直線状の外側端縁８４２と、直線状の底縁８４４と、底縁８４４とは反対側の上端縁に形成された開口縁８４６とを備える。
ポケットシート８１８は、背表紙８１６に対向する面とは反対側のポケットシート取り付け部８５２に、ポケットシート８１８の前記直線状の外側端縁８４２とは反対側の内側端縁８４８において背表紙８１６の内側面に亘り固着される。
【００７８】
表紙の表連設部８２０と表連設部８２２との間の溶着領域である背表紙８１６の内面において、ポケットシート材８１８Ａが溶着され、ポケットシート材８１８Ａが溶着された溶着部８１８Ａ1を挟んで左側に形成される第１ポケット部８４０ａと右側に形成される第２ポケット部８４０ｂとを備える。
第１ポケット部８４０ａの上端には、第１開口部縁８４６ａが形成され、第２ポケット部８４０ｂの上端には、第２開口縁８４６ｂが形成されている。
【００７９】
ポケットシート材８１８Ａは、透明または半透明のポリプロピレンフィルムまたは塩化ビニルフィルム等のように、熱溶着に適する熱可塑性合成樹脂フィルム素材またはシート素材からなる。
そして、この実施の形態においては、ポケットシート材８１８Ａは、ファイル８１０を縦長として、左側には上部短辺側に第１開口縁８４８ａが形成されるとともに、右側には上部短辺側に第２開口縁７４８ｂが形成された、縦長のポケット状に形成されている。
【００８０】
そして、ポケットシート材８１８Ａは、図４１に示すように、熱溶着される前においては、直線状の左側外側端縁８４２ａおよび直線状の右側外側端縁８４２ｂと直線状の第１底縁８４４ａ及び第２底縁８４４ｂとが直交して連続してつながってなり、左側外側端縁８４２ａおよび右側外側端縁８４２ｂと連続し且つ底縁８４４ａ及び第２底縁８４４ｂと対向する直線状の上縁において、第１開口縁８４６ａ及び第２開口縁８４６ｂが形成された横長袋状である。
このポケットシート材８１８Ａは、同一形状のものを複数枚重ねられ、ポケットシート材８１８Ａの略中央の溶着部８１８Ａ1で表紙の溶着領域たる背表紙８１６の内面に熱溶着されて、左右同一の大きさの縦長ポケット、すなわち第１ポケット部８４０ａと第２ポケット部８４０ｂとを形成する。
溶着部８１８Ａ1は、左側外側端縁８４２ａおよび右側外側端縁８４２ｂと平行で、第１開口縁８４６ａ及び第２開口部８４６ｂと第１底縁８４４ａ及び第２底縁８４４ｂとに直交するように構成されている。
【００８１】
第１ポケット部８４０ａは、左側外側端縁８４２ａ、溶着部８１８Ａ1および第１底縁８４４ａで囲繞され、第２ポケット部８４０ｂは、右側外側端縁８４２ｂ、溶着部８１８Ａ１および底縁８４４ｂで囲繞され、上部に第１開口縁８４６ａおよび第２開口部８４６ｂが形成されてなる。
第１開口縁８４６ａは、左側外側端縁８４２ａと連続し底縁８４４ａと対向する上縁に形成され、第２開口縁８４６ｂは、右側外側端縁８４２ｂと連続し底縁８４４ｂと対向する上縁に形成されている。
第１ポケット部８４０ａと第２ポケット部８４０ｂとは、溶着部８１８Ａ1を挟んで左右一対のポケット部８４０を構成するように形成されている。
【００８２】
前記実施の形態の形態においては、把持部８２８を形成したが、図４３において示すように、表折り曲げ部８２４及び表折り曲げ部８２６を形成せず、把持部８２８を形成しなくてもよい。
【図面の簡単な説明】
【００８３】
【図１】この発明の一実施の形態であるポケットファイルの斜視図解図である。
【図２】図１図示ポケットフィルの開いた状態における斜視図解図である。
【図３】図１図示ポケットフィルの開いた状態における断面図解図である。
【図４】図１図示ポケットファイルの表紙及びポケットシートの分解斜視図解図である。
【図５】この発明の一実施の形態であるポケットファイルの斜視図解図である。
【図６】図５図示ポケットファイルの開いた状態における斜視図解図である。
【図７】図５図示ポケットフィルの開いた状態における断面図解図である。
【図８】図５図示ポケットファイルの表紙及びポケットシートの斜視図解図である。
【図９】この発明の一実施の形態であるポケットファイルの斜視図解図である。
【図１０】図９図示ポケットファイルの開いた状態における斜視図解図である。
【図１１】図９図示ポケットフィルの断面図解図であり、（Ａ）は、横断面図解図であり、（Ｂ）は、縦断面図解図である。
【図１２】図９図示ポケットファイルの表紙の分解斜視図解図である。
【図１３】図５図示ファイルの製法を示す斜視図解図である。
【図１４】図５図示ファイルの製法を示す斜視図解図であり、（Ａ）は表紙材の斜視図解図であり、（Ｂ）はＶ字溝を形成した表紙材の斜視図解図である。
【図１５】図５図示ファイルの製法を示す斜視図解図である。
【図１６】図５図示ファイルの製法を示す斜視図解図である。
【図１７】図５図示ファイルの製法を示す斜視図解図である。
【図１８】図９図示ファイルの製法を示す断面図解図であり、(Ａ)はポケットシート取り付け素材の準備状態を示す図であり、(Ｂ)はポケットシート取り付け素材と表紙とを接し合わせた状態を示す図であり、(Ｃ)はポケットシート取り付け素材を表紙に接着した状態を示す図である。
【図１９】図９図示ファイルの製法を示す断面図解図である。
【図２０】図９図示ファイルの製法を示す断面図解図である。
【図２１】図９図示ファイルの製法を示す断面図解図である。
【図２２】図９図示ファイルの製法を示す断面図解図である。
【図２３】図９図示ファイルのポケットシート取り付け材の変形例の断面図解図である。
【図２４】図９図示ファイルのポケットシート取り付け材の変形例の断面図解図である。
【図２５】図９図示ファイルのポケットシート取り付け材の変形例の断面図解図である。
【図２６】図２３図示ファイルの製法を示す斜視図解図である。
【図２７】図２３図示ファイルの製法を示す斜視図解図である。
【図２８】図２３図示ファイルの製法を示す斜視図解図である。
【図２９】図２３図示ファイルの製法を示す斜視図解図である。
【図３０】図９図示ファイル用表紙の変形例である断面図解図である。
【図３１】図３０図示ファイルの製法を示すポケットシート取り付け材の図解図であり、（Ａ）は平面図解図であり（Ｂ）は側面図解図である。
【図３２】図３０図示ファイルの製法を示す正面図解図である。
【図３３】図３０図示ファイルの製法を示す正面図解図である。
【図３４】図３０図示ファイルの製法を示す正面図解図である。
【図３５】図１図示ファイルの変形例の図解図であり、（Ａ）は正面図解図であり、（Ｂ）は、横断面図解図である。
【図３６】図１図示ファイルの変形例の図解図であり、（Ａ）は正面図解図であり、（Ｂ）は、横断面図解図である。
【図３７】図１図示ファイルの変形例の図解図であり、（Ａ）は正面図解図であり、（Ｂ）は、横断面図解図である。
【図３８】図１図示ファイルの変形例の図解図であり、（Ａ）は正面図解図であり、（Ｂ）は、横断面図解図である。
【図３９】図１図示ファイルの変形例の斜視図解図である。
【図４０】図３９図示ファイルの図解図であり、（Ａ）は正面図解図であり、（Ｂ）は、横断面図解図である。
【図４１】図３９図示ファイルの製法を示す斜視図解図である。
【図４２】図３９図示ファイルの製法を示す斜視図解図である。
【図４３】図１図示ファイルの変形例の斜視図解図である。
【図４４】この発明にかかるファイルの使用方法を示す斜視図解図である。
【図４５】この発明にかかるファイルの説明図である。
【符号の説明】
【００８４】
１０，１１０，２１０，４１０，５１０  ファイル
１２，１１２，２１２，３１２，４１２，５１２，６１２，７１２，８１２  表表紙
１４，１１４，２１４，３１４，４１４，５１４，６１４，７１４，８１４  裏表紙
１６，１１６，２１６，３１６，４１６，５１６，６１６，７１６，８１６  背表紙
１８，１１８, ５１８，８１８  ポケットシート
２０Ａ，２２Ａ，２４Ａ，２６Ａ  Ｖ字溝
２０，１２０，２２０，３２０，４２０，５２０，６２０，７２０，８２０  表連設部
２２，１２２，２２２，３２２，４２２，５２２，８２２  裏連設部
２４，１２４，２２４，３２４，４２４，５２４，６２４，７２４，８２４  表折り曲げ部
２６，１２６，２２６，３２６，４２６，５２６，６２６，７２６，８２６  裏折り曲げ部
２８，１２８，２２８，３２８，４２８，５２８，８２８  把持部
３０  検索用凹部
４０，１４０，５４０，６４０，７４０  ポケット部
４２，１４２，５４２，６４２，７４２，８４２  外側端縁
４４，１４４，５４４，６４４，７４４，８４４  底縁
４６，１４６，５４６，６４６，７４６，８４６  開口縁
４８，１４８，５４８，６４８，７４８，８４８  内側端縁
５０，１５０，２５０，３５０，４５０，５５０  ポケットシート取り付け材
５２，５５４  凸部
８０  表紙材
８６  背表紙エリア
９０  ホットメルト接着剤
１１０，３１０，４１０  表紙材
１５０Ａ  ポケットシート取り付け素材
１５２，２５２，３５２，４５２，５５２，６５２，７５２，８５２  ポケットシート取り付け部
１５４  連結部
１５６  頂部
１５８  凸条
２１８ｃ，５１８ｃ，２５０Ａ1  屈曲部
２５４Ａ，２５４Ｂ  長方形状凸部
２２８ａ，５２８ａ  表表紙側凸部
２２８ｂ，５２８ｂ  裏表紙側凸部
７４０ａ  第１ポケット部
７４０ｂ  第２ポケット部
８１８Ａ1 溶着部
８１８Ａ  ポケットシート材
８１８ａ  第１ポケットシート
８１８ｂ  第２ポケットシート
８４６ａ，８４８ａ  第１開口縁
８４６ｂ，７４８ｂ  第２開口縁
８４２ａ  左側外側端縁
８４２ｂ  右側外側端縁
８４４ａ  第１底縁
８４４ｂ  第２底縁
１０００  製本装置
１００４  表紙用保持機構
１００６  発熱体
１００８，１０１２  直立保持体
１０１０  テーブル
１１００  金属製保型板
１２００  超音波ホーン
Ｓ  被綴じ物
Ｍ  台紙
ｉ  見出し
【図１】
0004624383.tif 000002
【図２】
0004624383.tif 000003
【図３】
0004624383.tif 000004
【図４】
0004624383.tif 000005
【図５】
0004624383.tif 000006
【図６】
0004624383.tif 000007
【図７】
0004624383.tif 000008
【図８】
0004624383.tif 000009
【図９】
0004624383.tif 000010
【図１０】
0004624383.tif 000011
【図１１】
0004624383.tif 000012
【図１２】
0004624383.tif 000013
【図１３】
0004624383.tif 000014
【図１４】
0004624383.tif 000015
【図１５】
0004624383.tif 000016
【図１６】
0004624383.tif 000017
【図１７】
0004624383.tif 000018
【図１８】
0004624383.tif 000019
【図１９】
0004624383.tif 000020
【図２０】
0004624383.tif 000021
【図２１】
0004624383.tif 000022
【図２２】
0004624383.tif 000023
【図２３】
0004624383.tif 000024
【図２４】
0004624383.tif 000025
【図２５】
0004624383.tif 000026
【図２６】
0004624383.tif 000027
【図２７】
0004624383.tif 000028
【図２８】
0004624383.tif 000029
【図２９】
0004624383.tif 000030
【図３０】
0004624383.tif 000031
【図３１】
0004624383.tif 000032
【図３２】
0004624383.tif 000033
【図３３】
0004624383.tif 000034
【図３４】
0004624383.tif 000035
【図３５】
0004624383.tif 000036
【図３６】
0004624383.tif 000037
【図３７】
0004624383.tif 000038
【図３８】
0004624383.tif 000039
【図３９】
0004624383.tif 000040
【図４０】
0004624383.tif 000041
【図４１】
0004624383.tif 000042
【図４２】
0004624383.tif 000043
【図４３】
0004624383.tif 000044
【図４４】
0004624383.tif 000045
【図４５】
0004624383.tif 000046